(57)【要約】【課題】文書やデータがバックアップされた光記録媒体を、バックアップした環境下や権限所持者間でのみ使用可能とし、不正なデータ改竄や消去を防ぐ。【解決手段】第１セッションに、使用環境情報を取得するもの、初回使用時に取得された使用環境情報を当該記録媒体の記録可能領域中に初期情報として第２セッションに記録するもの、初期情報の有無判定およびこの初期情報とこれに対応して再使用時に取得する光記録媒体の使用環境情報との比較をするもの、比較結果が一致した場合に使用可能と判定して光記録媒体の第３セッション以降に所望の情報を記録・再生ものを含むアプリケーション群を所持した再生専用領域（ＲＯＭ）と、記録可能領域とを有してなる光記録媒体。【選択図】図４
2007080339.tif 000002
【特許請求の範囲】
【請求項１】
第１セッションの再生専用領域（ＲＯＭ）と、記録可能領域とを有してなり、パーソナルコンピュータ上に搭載される記録再生装置（ドライブ）にて情報を記録および再生して使用する、予め第１セッションにアプリケーションを所持した光記録媒体であって、
前記アプリケーションには少なくとも、情報記録および再生の用途に使用する時に光記録媒体が使用される環境に関する使用環境情報を取得する第１のアプリケーションと、
初回使用時に前記取得された使用環境情報を当該記録媒体の記録可能領域中に初期情報として第２セッションに記録する第２のアプリケーションと、
第２セッションに記録された初期情報の有無判定およびこの初期情報とこれに対応して再使用時に取得する光記録媒体の使用環境情報との比較をする第３のアプリケーションと、
前記情報比較の結果情報が一致した場合に使用可能と判定し、光記録媒体の第３セッション以降の所望の情報を記録・再生するための第４のアプリケーションとを含むことを特徴とする情報保護用光記録媒体。
【請求項２】
前記第４のアプリケーションは、このアプリケーションに依存した所定の固有形態で情報を記録・再生することを特徴とする請求項１に記載の情報保護用光記録媒体。
【請求項３】
前記第２セッションに記録される初期環境情報が複数項目存在することを特徴とする請求項１または２に記載の情報保護用光記録媒体。
【請求項４】
前記第１のアプリケーションを用いて取得した、光記録媒体の使用されるコンピュータが接続されているネットワーク環境に関する情報を、第２セッションに記録することを特徴とする請求項１〜３のいずれか１項に記載の情報保護用光記録媒体。
【請求項５】
前記第１のアプリケーションアプリケーションを用いて取得した、光記録媒体の使用されるコンピュータ上に搭載されている記録再生装置（ドライブ）に関する情報を、第２セッションに記録することを特徴とする請求項１〜３のいずれか１項に記載の情報保護用光記録媒体。
【請求項６】
前記第３のアプリケーションにより当該記録媒体の記録可能領域中第２セッションに記録された初期情報の有無判定、および前記初期情報と光記録媒体再使用時に前記第１のアプリケーションにて取得した使用環境情報との比較を行い、両使用環境情報の一致した項目に応じて記録および／または再生機能が制限されることを特徴とする請求項３に記載の情報保護用光記録媒体。
【請求項７】
前記情報の比較過程において、初期情報と再使用時に取得した使用環境情報のうち少なくともネットワーク環境が一致する場合、第３セッション以降に記録されている情報の再生が可能となることを特徴とする請求項６に記載の情報保護用光記録媒体。
【請求項８】
前記情報の比較過程において、初期情報と使用時に取得した使用環境情報のうちネットワーク環境に加え、光記録媒体の使用されるコンピュータ上に搭載されている記録再生装置（ドライブ）に関する情報が一致する場合、第３セッション以降への情報記録および書換えが可能となることを特徴とする請求項６に記載の情報保護用光記録媒体。
【請求項９】
前記情報の比較過程において、初期情報と使用時に取得した使用環境情報のうちネットワーク環境に加え、光記録媒体の使用されるコンピュータ本体に関する情報が一致する場合、第３セッション以降への情報記録および書換えが可能となることを特徴とする請求項６に記載の情報保護用光記録媒体。
【請求項１０】
第１セッションの再生専用領域（ＲＯＭ）と、記録可能領域とを有してなり、パーソナルコンピュータ上に搭載される記録再生装置（ドライブ）にて情報を記録および再生して使用する、予め第１セッションに所定のアプリケーションを所持した情報保護用光記録媒体に対して、
情報記録および再生の用途に最初に使用する時に、前記第１セッションのアプリケーションを実行して、当該情報保護用光記録媒体が使用される環境に関する使用環境情報を取得して初期情報として当該情報保護用光記録媒体の記録可能領域中に第２セッションとして記録し、
その後の情報記録および再生に際しては、前記第２セッションに記録された初期情報の有無を判定し、
初期情報があればこの初期情報とこれに対応する現在の情報保護用光記録媒体の使用環境情報を取得し、この使用環境情報と前記初期情報とを比較し、
情報比較の結果が一致した場合に使用可能と判定し、当該情報保護用光記録媒体の第３セッション以降の所望の情報の再生または記録・再生を行う、
ことを特徴とする情報保護用光記録媒体の情報記録・再生方法。
【請求項１１】
前記第３セッション以降の所望の情報の記録・再生は、前記第１セッションのアプリケーションに依存した所定の固有形態で行われることを特徴とする請求項１０に記載の情報記録・再生方法。
【発明の詳細な説明】
【技術分野】
【０００１】
本発明は、情報やデータを記録、再生および保護するための光記録媒体（情報保護用光記録媒体）および情報記録・再生方法に関する。
【背景技術】
【０００２】
昨今における情報量の増大により、パーソナルコンピュータのインフラにおいて高密度かつ高速で大量のデータ記録および再生が可能であるＣＤ−Ｒ／ＲＷドライブが標準装備となり普及してきている。これに伴い情報のバックアップや交換、閲覧は、ＣＤおよびＤＶＤフォーマットの光ディスクで簡便に行われるのが一般的になってきた。
【０００３】
情報を保存したり、あるいは個人として利用したりするために、ＣＤ−ＲやＣＤ−ＲＷ、ＤＶＤ±ＲやＤＶＤ±ＲＷ、ＤＶＤ−ＲＡＭ等の記録用光記録媒体に記録および再生する方法が広く使用されており、パーソナルコンピュータに搭載或いは外付けされている光記録媒体用の記録再生装置（ドライブ）を介して、ハードディスク内に格納しているデータや文書のバックアップを容易に実施することができる。これによりハードディスク内の情報容量が超過し情報を消去する必要が出た場合でも、情報をバックアップした光記録媒体を記録再生装置にて再生することで同様の情報を容易に再現することが出来る。またハードディスク内の全情報を取捨選択し、個人が必要とする重要な情報だけを抽出し編集して保存することができるため、情報の利用や管理を効率よく行うことができる。
【０００４】
しかし前記光記録媒体は持ち運びが容易であるため、媒体そのものが第三者に流通される虞があり、記録されているデータや情報が流出・盗難されてしまう可能性がある。また情報が記録されている光記録媒体が記録可能なものである場合、記録されているデータの破壊や改竄が行われる虞もあって、情報の安全な保管は極めて困難になる。
【０００５】
最近では情報の安全な保管を実施するために、光記録媒体への記録データの暗号化や記録および再生時におけるパスワードの設定、あるいは情報を読み出す際に必要なキー情報を外部媒体に保持させる等、さまざまな情報セキュリティ機能を備えた光記録媒体が実用化されてきている。これらの光記録媒体は基本的に光記録媒体の持ち運びが可能なものとして取り扱われており、例えば関係区内での文書の閲覧や、外部でのデータ交換・修正など、安全なデータの運搬利用をもたらしている。
【０００６】
また、特許文献１には、情報著作者の権利保護などのため、不正なコピーを防止でき、かつユーザーはバックアップなどの正規のコピーを行うことができる光記録媒体のコピー方法、および該コピー方法を実施できる光記録媒体について記載されている。特許文献１の技術によれば、コピー元媒体が所持する媒体判別用アプリケーションにより、コピー元媒体がオリジナルであるか否かを判別し、更には、コピー元媒体が所持するコピー作成用アプリケーションにより、コピー先媒体のＰＭＡに記録するコピー元媒体および記録装置に関する固有情報（ＩＤ）を取得し、これをコピー元媒体の記録内容およびコピー元媒体が所持するコピー先媒体動作用アプリケーションと共にコピー先媒体中のプログラムエリアに記録するようにしている。
【０００７】
然しながら、上述の各対応では、パーソナルコンピュータを所持する個人それぞれおよび関係者内で所持している、情報や極秘データ等の流出阻止までを保証することはできない。
【０００８】
【特許文献１】２００４−２４６９３２号公報
【発明の開示】
【発明が解決しようとする課題】
【０００９】
したがって、本発明の目的は、文書やデータがバックアップされた光記録媒体を、バックアップした環境下や権限所持者間でのみ使用可能とする、すなわち第三者による外部のパーソナルコンピュータ等でのオリジナル環境や設定された範囲内の環境以外での光記録媒体の使用を防止し、設定された範囲内の環境であっても不正なデータ改竄や消去を防ぐことにより、パーソナルコンピュータを所持する個人およびグループがそれぞれ保持している情報や極秘データ等の安全な保管や記録をもたらすことである。
【課題を解決するための手段】
【００１０】
本発明の情報保護用光記録媒体は、第１セッションの再生専用領域（ＲＯＭ）と、記録可能領域とを有してなり、パーソナルコンピュータ上に搭載される記録再生装置（ドライブ）にて情報を記録および再生して使用する、予め第１セッションにアプリケーションを所持した光記録媒体であって、前記アプリケーションには少なくとも、情報記録および再生の用途に使用する時に光記録媒体が使用される環境に関する使用環境情報を取得する第１のアプリケーションと、初回使用時に前記取得された使用環境情報を当該記録媒体の記録可能領域中に初期情報として第２セッションに記録する第２のアプリケーションと、第２セッションに記録された初期情報の有無判定およびこの初期情報とこれに対応して再使用時に取得する光記録媒体の使用環境情報との比較をする第３のアプリケーションと、前記情報比較の結果情報が一致した場合に使用可能と判定し、光記録媒体の第３セッション以降の所望の情報を記録・再生するための第４のアプリケーションとを含むことを特徴とする。
【００１１】
前記第４のアプリケーションは、このアプリケーションに依存した所定の固有形態で情報を記録・再生すると好適である。前記第２セッションに記録される初期環境情報が複数項目存在するようにしても良い。前記第１のアプリケーションを用いて取得した、光記録媒体の使用されるコンピュータが接続されているネットワーク環境に関する情報を、第２セッションに記録することが考えられる。光記録媒体の使用されるコンピュータ上に搭載されている記録再生装置（ドライブ）に関する情報を、第２セッションに記録するようにしても良い。
【００１２】
また、本発明は、上述した如くの第３のアプリケーションにより当該記録媒体の記録可能領域中第２セッションに記録された初期情報の有無判定、および前記初期情報と光記録媒体再使用時に前記第１のアプリケーションにて取得した使用環境情報との比較を行い、両使用環境情報の一致した項目に応じて記録および／または再生機能が制限されるようにする。この場合、情報の比較過程において、初期情報と再使用時に取得した使用環境情報のうち少なくともネットワーク環境が一致する場合、第３セッション以降に記録されている情報の再生が可能となるものが含まれる。また、情報の比較過程において、初期情報と使用時に取得した使用環境情報のうちネットワーク環境に加え、光記録媒体の使用されるコンピュータ上に搭載されている記録再生装置（ドライブ）に関する情報が一致する場合、第３セッション以降への情報記録および書換えが可能となるものが含まれる。情報の比較過程において、初期情報と使用時に取得した使用環境情報のうちネットワーク環境に加え、光記録媒体の使用されるコンピュータ本体に関する情報が一致する場合、第３セッション以降への情報記録および書換えが可能となるものも考えられる。
【００１３】
また、本発明の方法は、第１セッションの再生専用領域（ＲＯＭ）と、記録可能領域とを有してなり、パーソナルコンピュータ上に搭載される記録再生装置（ドライブ）にて情報を記録および再生して使用する、予め第１セッションに所定のアプリケーションを所持した情報保護用光記録媒体に対して、情報記録および再生の用途に最初に使用する時に、前記第１セッションのアプリケーションを実行して、当該情報保護用光記録媒体が使用される環境に関する使用環境情報を取得して初期情報として当該情報保護用光記録媒体の記録可能領域中に第２セッションとして記録し、その後の情報記録および再生に際しては、前記第２セッションに記録された初期情報の有無を判定し、初期情報があればこの初期情報とこれに対応する現在の情報保護用光記録媒体の使用環境情報を取得し、この使用環境情報と前記初期情報とを比較し、情報比較の結果、所定の内容が一致した場合に使用可能と判定し、当該情報保護用光記録媒体の第３セッション以降の所望の情報の再生または記録・再生を行う、ことを特徴とする。この場合、前記第３セッション以降の所望の情報の記録・再生は、前記第１セッションのアプリケーションに依存した所定の固有形態で行うようにしても良い。
【発明の効果】
【００１４】
この発明による情報保護用光記録媒体によれば、文書やデータがバックアップされた光記録媒体がバックアップした環境下や権限所持者間でのみで光記録媒体を使用可能にすることができ、権限所持者内では使用できる機能を制限することもできる。すなわち第三者や外部のパーソナルコンピュータ等オリジナル環境以外での使用を防止するのみならず、不正なデータ改竄や消去、不要な情報記録を防止することにより、パーソナルコンピュータを所持する個人およびグループがそれぞれ保持している情報や極秘データ等のさらなる安全な保管や記録をもたらすことが可能となる。
【発明を実施するための最良の形態】
【００１５】
〔第１実施形態〕
以下、本発明の実施の形態について、図面に従って説明する。図１はこの発明の一実施形態である情報保護用光記録媒体（以下、単に光記録媒体とも記す）に係る情報記録再生装置のブロック図を示している。すなわち、図１は光記録媒体が、情報記録および再生の用途に使用する前に光記録媒体が使用される環境に関する情報の取得、前記情報の該光記録媒体の記録可能領域中への初期情報として第２セッションに記録、前記光記録媒体の記録可能領域中第２セッションに記録された初期情報の有無判定、前記初期情報と再度取得した前記光記録媒体の使用環境情報との比較、および前記光記録媒体が使用可能と判別された場合、第３セッション以降に情報を記録または再生するための、情報記録再生装置の一例の構成を示すブロック図である。
【００１６】
図１の情報記録再生装置は、扱う光ディスク１の種類に対応して、ＣＤ−Ｒディスク、ＣＤ−ＲＷディスク、ＤＶＤ＋ＲＷディスク、ＤＶＤ−ＲＷディスク、ＤＶＤ−ＲＡＭディスク等の書き込み可能型の記録媒体である光ディスク１に対する情報の読み書きを行うＣＤ−Ｒディスク、ＣＤ−ＲＷドライブ、ＤＶＤ＋ＲＷドライブ、ＤＶＤ−ＲＷドライブ、ＤＶＤ−ＲＡＭドライブ等の光ディスク装置である。また第３セッション以降に情報が記録されている場合の再生用途に限るのであれば、再生専用のＣＤ／ＤＶＤ―ＲＯＭドライブも含まれる。
【００１７】
本発明に係る光ディスク１は、ＣＤ−Ｒディスク、ＣＤ−ＲＷディスク、ＤＶＤ＋ＲＷディスク、ＤＶＤ−ＲＷディスク、ＤＶＤ−ＲＡＭディスク等の記録可能領域を有し書き込み可能型の記録媒体に、第１セッションとして再生専用（ＲＯＭ）領域を併せ持つハイブリッドディスクである。第１セッションの再生専用領域には、光記録媒体が使用される環境に関する情報の取得、前記情報の該光記録媒体の記録可能領域中への初期情報として第２セッションに記録、前記光記録媒体の記録可能領域中第２セッションに記録された初期情報の有無判定、前記初期情報と再度取得した前記光記録媒体の使用環境情報との比較および判定のためのアプリケーション（群）が予め含まれている（所持している）。なお、全面記録可能領域からなる光記録媒体において、第１セッションに本発明で意図している後述の一連のアプリケーション類を予め書き込んで再生専用領域とし、記録可能領域を残したものについては、本発明に属するものとする。
【００１８】
一連のアプリケーション類は各コンピュータ環境で共通して使用できるものであるから、全面記録可能領域からなる光記録媒体の第１セッションを一枚一枚情報記録再生装置にて記録して前記の機能付き光記録媒体を作製するのではなく、予めＲＯＭデータとして存在させるハイブリッドディスクとすることにより前述の機能を含んだ光記録媒体を量産することができ、当該光記録媒体の生産効率を上げることができる。この光ディスク１については、後で更に詳細に説明する。
【００１９】
図１のスピンドルモータ（モータ）２は、光ディスク１をデータ記録の際及びデータ再生の際にそれぞれの所定の回転速度で回転させるモータである。回転制御部３は、モータ２の回転制御を行う。光ピックアップ４は、光ディスク１にデータを記録及び光ディスク１に記録されたデータを再生するときにそれぞれ所定の記録パワーでレーザ光Ｌを発光させて照射する装置である。アクチュエータ制御部５は、光ピックアップ４を光ディスク１に対してフォーカシング及びトラッキングするときに移動させる制御を行う。信号制御部６は、光ピックアップ４から出力される再生信号及び光ピックアップ４に出力する記録信号を制御する。
【００２０】
ドライブコントローラ７は、ＣＰＵ，ＲＯＭ及びＲＡＭ等からなるマイクロコンピュータによって実現され、この情報記録再生装置全体の制御を行うと共に、この発明に係る、情報記録および再生の用途に使用する前に光記録媒体が使用される環境に関する情報の取得、前記情報を該光記録媒体の記録可能領域中に初期情報として第２セッションへの記録、前記光記録媒体の記録可能領域中第２セッションに記録された初期情報の有無判定、前記初期情報と再度取得した光記録媒体使用環境情報との比較、および前記光記録媒体が使用可能と判別された場合における、第３セッション以降への情報記録または再生を実施するための制御処理も実行する。
【００２１】
バッファ８は、ドライブコントローラ７がデータ格納等の一時記憶領域として使用するメモリである。レーザ駆動回路９は、光ピックアップ４のレーザ光Ｌの発光を駆動する。外部インタフェイス１０は、上位装置１１との間でコマンド，データ等の送受信を行うために使用される。なお、一般には図示は省略したがこの他にも記録／再生パワー設定回路等の機能部も備わっている。上位装置１１は、この情報記録再生装置を制御するパーソナルコンピュータ等のホストコンピュータである。
【００２２】
次に、本発明の実施形態である光記録媒体１について、ＣＤフォーマットを例に取りより詳細に説明すると、まず情報を記録することができる記録可能領域が、一枚の光記録媒体上に存在しているディスクが挙げられる。これらはまずガラス原盤へのフォトレジスト材料塗布、レーザ露光、現像、電鋳の各工程を経てスタンパが作製され、このスタンパを用いて既知の一般的な方法で各光記録媒体を作製できる。追記可能領域への１回の記録が可能なＣＤ−Ｒディスクの場合では、ポリカーボネート基板に有機色素記録層、Ａｌ反射層、アクリル樹脂保護層を積層させることで所望の光記録媒体が得られる。また追記可能領域での記録／消去が繰り返し可能なＣＤ−ＲＷディスクではポリカーボネート基板上に無機誘電体保護層、無機相変化記録層、無機誘電体保護層、Ａｌ反射層およびアクリル樹脂保護層を積層させることで所望の光記録媒体が得られる。
【００２３】
通常、情報記録再生装置によって記録可能領域を持つ光記録媒体に記録される場合、光記録媒体のプログラムエリアに所望のデータや情報が周知の一般的な記録用アプリケーションソフトウェアによって記録される。本発明の光記録媒体では、第１セッションとしてＲＯＭ領域に存在する第１のアプリケーションにより情報記録および再生の用途に使用する前に、当該光記録媒体が使用される環境に関する情報を取得し、初回データ記録に使用される際には、前記情報を当該光記録媒体の記録可能領域中（第２セッション）に初期情報として第２のアプリケーション固有の態様で記録されてから、所望のデータが第４のアプリケーション固有の態様で第３セッションに記録される。これらの動作は上位装置のＣＰＵを介して実行される。この初期情報を光記録媒体１に所持させることにより、以降に当該光記録媒体１が再生・記録のために使用される際の使用可否判定や使用可能環境（環境に応じた使用可否判定）、或いは利用時の機能の限定（環境に応じた動作制限）に利用され、意図しないデータ不正利用、データの改竄等が防止可能になる。ＣＤフォーマット以外の光記録媒体の場合も、夫々の規格毎の差はあるが、上述した本発明の特徴は共通である。
【００２４】
本明細書および特許請求の範囲中の記載で、“第４のアプリケーション固有の態様で記録” （また、“第２のアプリケーション固有の態様で記録”）とは、例えば、次のような態様を意味する。一例を挙げると、第１のアプリケーションで読み取った初期情報のみからある冗長度を持って一義的に決まる所定のキーワードを生成して、この固有キーワードを使って適宜のアルゴリズムに従って第３セッション以降に記録すべきデータを暗号化し、この暗号化データを第３セッション以降に順次追記記録するようにし、第３セッション以降のデータを再生する時には、前記キーワードを使って復号化して読出データとする方法が考えられる。なお、第２セッションへの記録は通常の態様としても良い。
【００２５】
この他に、関連する（正当な）ドライブのファームウェアを変更することと併用して、アプリケーションにより正当ドライブのみが解釈して所定処理を行う特殊なコマンドを発行して第３セッション以降にデータ記録及び再生を行うようにする方法が考えられる。
【００２６】
図２に光記録媒体のマルチセッションフォーマットの模式図を示す。本発明においては、第１セッション（ＲＯＭ領域）に存在する第１のアプリケーションにより情報記録および再生の用途に使用する前に取得し、第２のアプリケーションにより当該光記録媒体の記録可能領域中（第２セッション）に初期情報として第２のアプリケーション固有の態様で記録される。ここで述べている光記録媒体が使用される環境に関する情報の代表的なものとして当該媒体が利用されるコンピュータ本体に関する情報があり、これはコンピュータ自身のシステム名やマシン名、デバイス名、あるいは当該コンピュータを使用するユーザー名やユーザーのＩＤ番号等、コンピュータ固有のローカルな情報である。これらの情報を複数項目組み合わせて光記録媒体内の記録可能領域に記録することで、光記録媒体そのものに個人用としてのオリジナル性を持たせることができる。この時記録される、光記録媒体が使用される環境に関する情報が複数項目存在することは、当該光記録媒体内への情報保存、再生、追記および書換えの安全性をより高めるのに有効に機能する。
【００２７】
また、前記光記録媒体１において、前記の第１セッションに存在している第３のアプリケーションにより当該記録媒体の記録可能領域中第２セッションに記録された初期情報の有無を識別し、前記初期情報と前記アプリケーションにて再度取得した使用環境情報とを比較することにより、所定の情報が一致した場合に、当該光記録媒体１が使用可能になり、第３のアプリケーションによる第３セッション以降のデータ再生（読み取り）及びデータの追記が可能になる。
【００２８】
〔第２実施形態〕
また、本発明においては、ＲＯＭ領域に存在する第１のアプリケーションにより情報記録および再生の用途に使用する前に取得し、当該光記録媒体の記録可能領域中（第２セッション）に初期情報として第２のアプリケーション固有の態様で記録される、光記録媒体が使用される環境に関する情報には、当該媒体が利用されるコンピュータが接続されているネットワーク環境に関する情報を含むようにすると好適であって、当該光記録媒体内への情報保存、再生、追記および書換えの安全性をより高めるのに有効に機能する。ここで述べているネットワーク環境に関する情報とは、前記ネットワークのドメイン名やワーキンググループ名等、コンピュータが接続されているネットワーク内共通の情報である。
【００２９】
前記の光記録媒体の使用されるコンピュータが接続しているネットワーク環境に関する情報を取得する第１のアプリケーション、取得した情報を初期情報として当該光記録媒体内の記録可能領域へ記録するための第２のアプリケーション等が予め光記録媒体内に第１セッションに格納されているので、前記情報の取得および記録用アプリケーション等を前もって使用コンピュータにインストールする必要はなく、使用されるコンピュータを選ばずに、またそのままの状態で前記光記録媒体の機能を使用することができる。
【００３０】
前記アプリケーション類はＲＯＭ領域として第１セッションに保持され、取得した情報は記録可能領域に第２セッションとして記録される。すなわち一枚の光記録媒体中に複数のセッションにより情報を形成させるマルチセッション方式を採用することでセッション単位での情報記録が可能となり、記録可能領域へ記録する容量が残っている限り、第３セッション以降のデータとして追記を複数回実施することが可能となる。ネットワーク環境に関する情報を記録することで、例えば光記録媒体内の情報を共有するグループや部署、顧客間用としてのオリジナル性を持たせることができる。なお、ライトワンスの光記録媒体の場合には、前述した第２セッションへの初期情報の記録は固有の態様でなく一般的な記録方法によっても良い。
【００３１】
〔実施例１〕
前記光記録媒体において、前記のアプリケーションにより当該記録媒体の記録可能領域中第２セッションに記録された初期情報の有無を識別し、前記初期情報と前記アプリケーションにて再度取得した使用環境情報との比較により、少なくともネットワーク環境が一致する場合は、第３セッション以降に記録されている情報の再生が可能になることが有効であった。
【００３２】
図３にこの光記録媒体中のアプリケーションの処理を示すフローチャートを示す。まず、第１セッションのアプリケーションを起動して（ＳＴ１１）、第２セッションに、当該光記録媒体が使用される環境情報が初期情報として記録されているか否かを識別する（ＳＴ１２）。記録されている場合（ＳＴ１２）、当該光記録媒体がその時点で使用されているコンピュータが接続している現在のネットワーク環境情報を第１セッションに設けられているアプリケーションにより取得し（ＳＴ１３）、第２セッションに記録された初期ネットワーク環境情報と比較する（ＳＴ１４）。比較された両者の情報が一致した場合（ＳＴ１５：Ｙｅｓ）は当該光記録媒体内の情報の記録・再生が可能となる（ＳＴ１６）が、情報が一致しない場合（ＳＴ１５：Ｎｏ）には、光記録媒体は利用不可（無効）となる（ＳＴ１７）。第２セッションに初期情報が記録されていない場合（ＳＴ１２：Ｎｏ）には、現環境を初期情報として第２セッションに記録する（ＳＴ１８：Ｙｅｓ、ＳＴ１９）。引き続き使用する場合（ＳＴ２０：Ｙｅｓ）には、ステップＳ１３に移行する。また、使用を中止する場合（ＳＴ２０：Ｎｏ）には、処理を終了する。なお、初期情報を記録しない場合（ＳＴ１８：Ｎｏ）にも、処理を終了する。この一連の処理によって当該光記録媒体は初期情報を記録した当時のネットワーク環境でのみ有効となるため、ネットワークのドメイン名やワーキンググループ名を共有する当事者同士で利用が可能となるため、実際に情報を必要とするグループ内で当該情報共有するのに有用である。
【００３３】
〔第３実施形態〕
また、本発明において、ＲＯＭ領域に存在する第１のアプリケーションにより情報記録および再生の用途に使用する前に取得し、当該光記録媒体の記録可能領域中（第２セッション）に初期情報として第２のアプリケーション固有の態様で記録される、光記録媒体が使用される環境に関する情報として、光記録媒体の使用されるコンピュータ上に搭載されている記録再生装置（ドライブ）に関する情報を含むようにすることも好適であって、当該光記録媒体内への情報保存、再生、追記および書換えの安全性をより高めるのに有効である。ここで述べている記録再生装置に関する情報とは、記録再生装置のメーカーや型番、記録再生可能線速、ファームウェア番号等である。前記と同様にＲＯＭ領域内の第１のアプリケーションによる情報の取得、および第２のアプリケーション固有の態様での記録を行うので、前記アプリケーションの事前インストールが不要であり、記録可能容量が残っている限り、（第４のアプリケーション固有の態様での）第３セッション以降のマルチセッション記録が可能である。記録再生装置に関する情報を記録し参照することで、同じ記録再生装置を所持しているグループや部署、顧客間用としてのオリジナル性を持たせることができる。
【００３４】
〔第４実施形態〕
また、前記光記録媒体において、前記の第１セッションに存在している第３のアプリケーションにより当該記録媒体の記録可能領域中第２セッションに記録された初期情報の有無を識別し、前記初期情報と前記アプリケーションにて再度取得した使用環境情報とを比較することにより、一致した両環境情報の項目によって使用可能な機能が制限されることが、光記録媒体中の情報保存、記録および再生の安全性を更に高めるのに有効であった。これは重要なデータ、文書等の情報類を光記録媒体にてグループ内に回覧する場合、利用者によって再生および記録の権限を変更する事ができるため、グループ内で共有する情報の管理を安全かつ効率的にできる。
【００３５】
〔実施例２〕
また実施例１のように、前記光記録媒体内のアプリケーションにより当該記録媒体の記録可能領域中第２セッションに記録された初期情報の有無を識別し、前記初期情報と前記アプリケーションにて再度取得した使用環境情報との比較により、ネットワーク環境のみならず、光記録媒体の使用されるコンピュータ上に搭載されている記録再生装置（ドライブ）に関する情報が一致する場合は、第３セッション以降への情報記録および書換えが可能になる仕様は有効であった。
【００３６】
図４のフローチャートによれば、まず、第１セッションのアプリケーションを起動して（ＳＴ２１）、第２セッションに、当該光記録媒体が使用される環境情報が初期情報として記録されているか否かを識別する（ＳＴ１２）。記録されている場合（ＳＴ２２）、当該光記録媒体がその時点で使用されているコンピュータが接続している現在のネットワーク環境情報を第１セッションに設けられているアプリケーションにより取得し（ＳＴ２３）、第２セッションに記録された初期ネットワーク環境情報と比較する（ＳＴ２４）。
【００３７】
比較された両者の情報が一致した場合（ＳＴ２５：Ｙｅｓ）は当該光記録媒体内の情報の再生が可能となる（ＳＴ２６）が、情報が一致しない場合（ＳＴ２５：Ｎｏ）には、光記録媒体は利用不可（無効）となる（ＳＴ３０）。情報の再生が可能と判別された後（ＳＴ２５：Ｙｅｓ、ＳＴ２６）、再び当該光記録媒体がその時点で使用されているコンピュータ上に搭載されている記録再生装置情報を第１セッションに設けられている第１のアプリケーションにより取得し（ＳＴ２７）、第２セッションに記録された初期記録再生装置情報と比較する（ＳＴ２８）。比較された両者の情報が一致した場合（ＳＴ２８：Ｙｅｓ）は当該光記録媒体内の情報の記録／書換えが可能となる（ＳＴ２９）が、情報が一致しない場合（ＳＴ２８：Ｎｏ）には、最終的に光記録媒体の再生機能のみが利用可能（有効）となる（ＳＴ３１）。
【００３８】
第２セッションに初期情報が記録されていない場合（ＳＴ２２：Ｎｏ）には、現環境を初期情報として第２セッションに記録する（ＳＴ３２：Ｙｅｓ、ＳＴ３３）。引き続き使用する場合（ＳＴ３４：Ｙｅｓ）には、ステップＳ２３に移行する。また、使用を中止する場合（ＳＴ３４：Ｎｏ）には、処理を終了する。なお、初期情報を記録しない場合（ＳＴ３２：Ｎｏ）にも、処理を終了する。この一連の処理によって当該光記録媒体は初期情報を記録した当時のネットワーク環境下で、かつ初期情報を記録した記録再生装置でのみ記録／書換えが有効となるため、実際に情報を必要とする当事者以外の閲覧を制限するのみならず、情報を回覧するグループ内でも記録を必要とする当事者のみに情報の記録や編集の権限を与えることで、無用の情報記録や改竄を防止する事が可能となる。
【００３９】
〔実施例３〕
また実施例１のように、前記光記録媒体内のアプリケーションにより当該記録媒体の記録可能領域中第２セッションに記録された初期情報の有無を識別し、前記初期情報と前記アプリケーションにて再度取得した使用環境情報との比較により、ネットワーク環境のみならず、光記録媒体の使用されるコンピュータ本体に関する情報が一致する場合は、第３セッション以降への情報記録および書換えが可能になることが有効であった。
【００４０】
図４のフローチャートによれば、まず情報の再生が可能と判別された後、再び当該光記録媒体がその時点で使用されているコンピュータ本体に関する情報を第１セッションに設けられている第１のアプリケーションにより取得し、第２のアプリケーションにより第２セッションに記録された初期コンピュータ情報と第３のアプリケーションによって比較する。比較された両者の情報が一致した場合は、当該光記録媒体内の情報の記録／書換えが可能となる。
【００４１】
このようにして当該光記録媒体は初期情報を記録した当時のネットワーク環境下で、かつ初期情報を記録したコンピュータ本体でのみ記録／書換えが有効となる。故に実際に情報を必要とする当事者以外の閲覧を制限するのみならず、情報を回覧するグループ内で初期情報記録に使用したコンピュータ環境を持つ者のみに情報の記録や編集の権限を与えることで、光記録媒体内の情報の安全性をさらに高めることが可能となる。
【００４２】
以上の説明では、説明の便宜上第１セッションに所持されるアプリケーション類として第１〜第４のアプリケーションに分けて説明したが、実際には必ずしも分轄されている必要はなく、一連の処理を行うプログラムとして実現できることは言うまでもない。
【図面の簡単な説明】
【００４３】
【図１】この発明の一実施形態である光記録媒体に係る情報記録再生装置の構成の一例を示すブロック図である。
【図２】本発明の一実施形態である光記録媒体の記録形式である、マルチセッションフォーマットの模式図である。
【図３】本発明の一実施形態である光記録媒体中の、アプリケーションの処理内容例を示すフローチャートである。
【図４】本発明の一実施形態である光記録媒体中の、アプリケーションの別な処理内容例を示すフローチャートである。
【符号の説明】
【００４４】
１…光記録媒体（光ディスク）
２…スピンドルモータ（駆動部）
３…回転制御部
４…光ピックアップ（記録／再生用ピックアップ）
５…アクチュエータ制御部
６…信号制御部
７…ドライブコントローラ
８…バッファ
９…レーザ駆動回路
１１…上位装置（コンピュータ装置）
Ｌ…レーザ光
【図１】
2007080339.tif 000003
【図２】
2007080339.tif 000004
【図３】
2007080339.tif 000005
【図４】
2007080339.tif 000006